(57)【要約】【課題】浄水器を扁平状にすることにより、浄水器の設置空間の合理的な活用が可能となり、設置条件の多様化が可能になる浄水器を提供する。【解決手段】ろ過材として繊維状活性炭素が充填された浄水カートリッジ１ａ（１ｂ）を浄水カートリッジ収納ケース４ａ（４ｂ）に内蔵した浄水ユニット４を収納した浄水ユニット収納体２と、浄水ユニット収納体２を収納する扁平形状のカバーケース３とからなる浄水器。【選択図】図１
0003104590.tif 000002
【実用新案登録請求の範囲】
【請求項１】
ろ過材として繊維状活性炭素が充填された浄水カートリッジを浄水カートリッジ収納ケースに内蔵した浄水ユニットを収納した浄水ユニット収納体と、この浄水ユニット収納体を収納する扁平形状のカバーケースとからなることを特徴とする浄水器。
【請求項２】
前記扁平形状のカバーケースの横断面が円形、多角形であることを特徴とする請求項１記載の浄水器。
【請求項３】
前記浄水ユニットが浄水カートリッジの周面から流入した水がろ過材を通過して浄水カートリッジの中央から流出する構造であることを特徴とする請求項１又は２記載の浄水器。  
【請求項４】
前記浄水ユニットが２段に接続されていることを特徴とする請求項１〜３のいずか１項に記載の記載の浄水器。
【請求項５】
前記カバーケースに複数の水道水流入孔及び浄水流出孔が形成されていることを特徴とする請求項１〜４のいずれか１項に記載の浄水器。
【請求項６】
前記カバーケースの表面に吸着盤が設けられていることを特徴とする請求項１〜５のいずれか１項に記載の浄水器。    
【考案の詳細な説明】
【技術分野】
【０００１】
本考案は、設置場所の選択範囲が拡がる、浄水カートリッジを内蔵する扁平状の浄水器に関する。
【背景技術】
【０００２】
水道水の安全性を高め且つ美味しくするために、家庭内でも浄水器が利用されている。水道水を浄水器に通して得られた浄水は、微小汚泥粒子が除去されるとともに、水成分が小さいクラスターに変化することにより、水がおいしくなり、且つ生体内への吸収が容易になる。また、塩素が除去されることで、塩素異臭が除去され、毛髪等の脱色が取り除かれるという効能ももつ。
【０００３】
現在市販されている浄水器には、水道蛇口に直接取り付ける浄水器、別置き式の浄水器が一般的である。水道蛇口に直接取り付ける浄水器は、簡便であるが、浄水能力が大きくないので浄水カートリッジ交換を短期間で交換しなくてはならないという欠点がある。これに比べて、別置き式の浄水器は処理能力が大きいので浄水カートリッジ交換の回数が少なくて済むというメリットがある。別置き式の浄水器は、フィルターの構造により円筒形又は立方体に近い形になっている。従来の浄水器は、例えば、図４に示すように、円形のケーシング１３に浄水カートリッジ（図示せず）が収納され、下方の水道水流入口１４から水道水を供給し、浄水カートリッジを通過した浄水は上部の浄水流出口１５から取り出すもので、縦置きにして使用する（特許文献１参照）。
【特許文献１】特開２００３−８８８５７号公報
【考案の開示】
【考案が解決しようとする課題】
【０００４】
従来の浄水器は、フィルターの構造により円筒形又は立方体に近い型になっており、通常は縦型に設置されている。これは横置きにすると、ろ過材が粒状活性炭や粒状セラミックのため、ろ過材が片寄って水の流れ易い流路が形成されて、水道水がろ過材と十分に接触しないためにろ過されないという問題があるためである。そのため、従来の縦型の浄水器をキッチンカウンターに設置すると、浄水器が邪魔になるので、他の台所用品の置き場所が制限される等の問題があり、使用場所や状況を十分に配慮した構造、形状になっていない。そのため、置き場所に不便さを感じ、設置場所によっては時には転倒して落下するなどの危険性を含んでいた。
【０００５】
そこで、本考案は、浄水器を扁平状にすることにより、浄水器の設置空間の合理的な活用が可能となり、設置条件の多様化が可能になる浄水器を提供するものである。
【課題を解決するための手段】
【０００６】
本考案の浄水器は、ろ過材として繊維状活性炭素が充填された浄水カートリッジを浄水カートリッジ収納ケースに内蔵した浄水ユニットを収納した浄水ユニット収納体と、この浄水ユニット収納体を収納する扁平形状のカバーケースとからなることを特徴とする。
【０００７】
前記扁平形状のカバーケースの横断面は、円形、多角形とすることができる。前記浄水ユニットは、浄水カートリッジの周面から流入した水がろ過材を通過して浄水カートリッジの中央から流出する構造とし、前記浄水ユニットを２段に接続して浄水してもよい。
【０００８】
また、前記カバーケースは、複数の水道水流入孔及び浄水流出孔を形成し、また表面に吸着盤を設けてもよい。  
【考案の効果】
【０００９】
本考案は、浄水ユニット収納体を収納するカバーケースを扁平状にすることにより、浄水器が薄型になり、奥行のない所では縦型、ある所では横置にし台所、風呂場への縦型の設置には吸着盤で固定することにより、また横置きの場合、浄水器の上に物を置くこともできる。その結果、自在な浄水器設置場所を選べることから浄水器の設置条件が多様化できるため使用空間の合理的な活用が可能になる。
【００１０】
また、繊維状活性炭を充填した浄水カートリッジを使用することにより横置にしても水流処理量が一定する。
【００１１】
カバーケースに複数の水道水流入孔及び浄水流出孔を形成することにより、水道水流入ホース及び浄水流出ホースをとりつけられるようにして流し台のすき間や冷蔵庫の上などに設置可能となる。
【考案を実施するための最良の形態】
【００１２】
図１は本考案による浄水器の一例を示す斜視図である。図１において、本考案の浄水器は、浄水カートリッジ１ａ、１ｂが浄水カートリッジ収納ケース４ａ、４ｂに内蔵された浄水ユニット４が収納された浄水ユニット収納体２と、この浄水ユニット収納体２が出し入れ可能なカバーケース３で構成される。浄水ユニット収納体２は、浄水カートリッジ１ａ、１ｂが交換のために出し入れができるように開閉可能に形成したケースやフレーム枠で構成することができる。
【００１３】
カバーケース３の大きさは、例えば、厚さ約５０ｍｍ、横約１８０ｍｍ、縦約３００ｍｍの薄型の扁平な直方体に形成する。カバーケース３には、水道水の流入孔あるいは浄水の流出孔３ａを設ける。カバーケース３の水道水の流入孔あるいは浄水の流出孔３ａは、浄水器の配置、横置きあるいは縦置きに対応できるように水道配管や蛇口に接続しやすい個所に予め複数設けておく。また、コーナーなどの設置場所に合わせて、使用空間を有効に利用できるように、例えば扁平状の三角形や半円式などの形状にしてもよい。
【００１４】
図２は本考案による浄水ユニットの一実施例における流水経路を示す図である。図２において、浄水ユニット収納体２には、浄水カートリッジ１ａ、１ｂが内蔵された浄水カートリッジ収納ケース４ａ、４ｂからなる浄水ユニット４が２段に配置され、第１のカートリッジ収納ケース４ａの浄水流出側と第２のカートリッジ収納ケース４ｂの浄水流入側とは連通配管５で接続されて連通している。
【００１５】
浄水カートリッジ１ａ、１ｂと浄水カートリッジ収納ケース４ａ、４ｂの壁との間には隙間が形成され、この隙間が第１の浄水カートリッジ１ａ、１ｂ内へ流入する水道水の流路、及び第２の浄水カートリッジ１ｂ内へ流入する浄水の流路６となる。第１の浄水カートリッジ１ａ及び第２の浄水カートリッジ１ｂは、一端が塞がれ、それ以外の周面には水道水あるいは浄水が流路６から流入するように多数の通水孔（図示せず）が設けられる。
【００１６】
第１の浄水カートリッジ１ａの塞がれた一端には、その中央に浄水が流出する浄水流出口７が形成され、浄水カートリッジ収納ケース４ａに形成された水道水流入口８には蛇口に接続された水道水流入ホース９が接続されている。水道水流入口８に流入した水道水は流路６から第１の浄水カートリッジ１ａ内へ通水孔を通って流入し、ろ過材７でろ過され、第１の浄水カートリッジ１ａの中央に形成された浄水流出口７を通って連通配管５へ流出する。
【００１７】
第２の浄水カートリッジ収納ケース４ｂには連通配管５に連通する、第１の浄水カートリッジ１ａからの浄水が流入する浄水流入口１０が形成され、カートリッジ１ｂの一方の端部には、その中央に浄水流出口１１が形成され、第２のカートリッジ１ｂの一方の端部には、その中央にろ過された浄水の浄水流出口１１が形成され、浄水流出口１１には蛇口に接続された浄水流出ホース１２が接続されている。第２の浄水カートリッジ収納ケース４ｂの浄水流入口１０に流入した浄水は、流路６から第２の浄水カートリッジ１ｂ内へ通水孔を通って流入し、ろ過材７でろ過され、第２のカートリッジ１ｂの浄水流出口１１から蛇口に接続された浄水流出ホース１２を通って吐水される。
【００１８】
浄水カートリッジ１ａ、１ｂには繊維状活性炭素からなるろ過材７を充填する。ろ過材７は繊維状活性炭素を圧縮して巻き上げて密に押し込んで充填する。繊維状活性炭素を密に充填することにより繊維状活性炭素が片寄って水の流れやすい流路が形成されることを防止できるので、水は繊維状活性炭素により形成される微細孔を確実に流れ、横置にした場合でも水流処理量が一定し、脱塩素、脱臭を確実に行うことができる。
【００１９】
図３は本考案による浄水器の配置の例を示す図である。なお、図３は浄水器の個別の配置をまとめて図示したものである。
【００２０】
図３（ａ）に示すように、本考案の浄水器１は、薄型で平らな形状を生かし、キッチンカウンターには横置にし、他のキッチン用品が置いてあるためなどで奥行のない所では縦型に配置することも可能であるため、空いた空間を有効に利用することができる。また、キッチンカウンターの上に横置きした場合、本考案による浄水器は薄型の直方体で上面が平らであるために、浄水器の上部に調味入れ容器などを置くことができるので、キッチンカウンターを浄水器に邪魔されることなく有効に利用することができる。
【００２１】
また、キッチンカウンターに置けない場合は、図３（ｂ）に示すように、冷蔵庫や食器棚の上に横置きすることもでき、横置きした場合、直方体であるために倒れるおそれもなく、安全性を確保できる。また、冷蔵庫や食器棚とキッチンカウンターとの間に形成される隙間に本考案の浄水器を縦に置くことも可能である。
【００２２】
また、カバーケースに吸着盤を設けることにより、キッチンや浴場の壁に縦に設置することも可能となる。
【図面の簡単な説明】
【００２３】
【図１】本考案による浄水器の一例を示す斜視図である。
【図２】本考案による浄水ユニットの一実施例における流水経路を示す図である。
【図３】本考案による浄水器の配置の例を示す図である。
【図４】従来の浄水器の正面図である。
【符号の説明】
【００２４】
１：浄水器
１ａ：第１の浄水カートリッジ
１ｂ：第２の浄水カートリッジ
２：浄水ユニット収納体  
３：カバーケース
３ａ：水道水流入孔、浄水の流出孔
４：浄水ユニット
４ａ：第１の浄水カートリッジ収納ケース
４ｂ：第２の浄水カートリッジ収納ケース
５：連通配管
６：浄水流路
７：ろ過材
８：水道水流入口
９：水道水流入ホース
１０：浄水流入口
１１：浄水流出口
１２：浄水流出ホース
１３：浄水器
【図１】
0003104590.tif 000003
【図２】
0003104590.tif 000004
【図３】
0003104590.tif 000005
【図４】
0003104590.tif 000006